(57)【要約】      （修正有）【課題】感光体ドラム等の像担持体上に残留した所謂球形トナーと像担持体表面との付着力を十分に弱めて、当該残留した所謂球形トナーの除去を確実に行わせることが可能な画像形成装置の転写残トナー撹乱用ローラ及びこれを用いた画像形成装置を提供する。【解決手段】像担持体の表面に当接した状態で回転するように配置され、前記像担持体の表面に残留したトナーを撹乱して、当該残留トナーと像担持体表面との付着力を弱めることにより、前記残留トナーを除去するための画像形成装置の残留トナー撹乱用ローラにおいて、前記残留トナー撹乱用ローラの表面に、可撓性を有する材料からなる少なくとも２枚以上のブレード状部材を、当該残留トナー撹乱用ローラの軸方向に沿って螺旋状に設けるように構成。【選択図】図１
2008152047.tif 000002
【特許請求の範囲】
【請求項１】
像担持体の表面に当接した状態で回転するように配置され、前記像担持体の表面に残留したトナーを撹乱して、当該残留トナーと像担持体表面との付着力を弱めることにより、前記残留トナーを除去するための画像形成装置の残留トナー撹乱用ローラにおいて、
前記残留トナー撹乱用ローラの表面に、可撓性を有する材料からなる少なくとも２枚以上のブレード状部材を、当該残留トナー撹乱用ローラの軸方向に沿って螺旋状に設けたことを特徴とする画像形成装置の残留トナー撹乱用ローラ。
【請求項２】
前記残留トナー撹乱用ローラは、前記像担持体の回転方向と逆方向に回転駆動されることを特徴とする請求項１に記載の画像形成装置の残留トナー撹乱用ローラ  
【請求項３】
前記残留トナー撹乱用ローラのブレード状部材は、その先端の断面形状が鋭角となるように形成されていることを特徴とする請求項１又は２に記載の画像形成装置の残留トナー撹乱用ローラ。
【請求項４】
前記残留トナー撹乱用ローラのブレード状部材は、その先端の断面形状が除去した転写残トナーが排出され易い形状に形成されていることを特徴とする請求項１又は２に記載の画像形成装置の残留トナー撹乱用ローラ。
【請求項５】
前記残留トナー撹乱用ローラは、ブレード状部材の間に像担持体上から除去した残留トナーを保持する凹形状の保持用空間を有していることを特徴とする請求項１乃至４のいずれかに記載の画像形成装置の残留トナー撹乱用ローラ。
【請求項６】
前記残留トナー撹乱用ローラの表面には、ブラシ状部材が接触するように配設されていることを特徴とする請求項１乃至５のいずれかに記載の画像形成装置の残留トナー撹乱用ローラ。
【請求項７】
前記残留トナー撹乱用ローラの下流側には、クリーニングブレードが配設されていることを特徴とする請求項１乃至６のいずれかに記載の画像形成装置の残留トナー撹乱用ローラ。
【請求項８】
前記残留トナー撹乱用ローラのブレード状部材は、導電性を有する材料によって形成されていることを特徴とする請求項１乃至７のいずれかに記載の画像形成装置の残留トナー撹乱用ローラ。
【請求項９】
表面にトナー像が形成される像担持体と、
前記像担持体の表面に当接した状態で回転するように配置され、前記像担持体の表面に残留したトナーを撹乱して、当該残留トナーと像担持体表面との付着力を弱めることにより、前記残留トナーを除去するための残留トナー撹乱用ローラとを備えた画像形成装置において、
前記残留トナー撹乱用ローラの表面には、可撓性を有する材料からなる少なくとも２枚以上のブレード状部材を、当該残留トナー撹乱用ローラの軸方向に沿って螺旋状に設けたことを特徴とする画像形成装置。
【発明の詳細な説明】
【技術分野】
【０００１】
この発明は、電子写真方式等を採用したプリンタや複写機等の画像形成装置に用いられる残留トナー撹乱用ローラ及びこれを用いた画像形成装置に関するものである。
【背景技術】
【０００２】
【特許文献１】特開２００４−７０１００号公報
【特許文献２】特開２００４−７０１００号公報
【０００３】
従来、この種の電子写真方式等を採用したプリンタや複写機等の画像形成装置では、感光体ドラム上に画像情報に応じたトナー像を形成し、当該感光体ドラム上に形成されたトナー像を、直接又は中間転写体を介して記録用紙上に転写した後、定着器によって加熱加圧することにより、未定着トナー像を記録用紙上に定着して、画像を形成するように構成されている。
【０００４】
ところで、上記画像形成装置では、感光体ドラム上に形成されたトナー像を、直接又は中間転写体を介して記録用紙上に転写する際に、感光体ドラム上に形成されたトナー像を１００％転写することは不可能であり、感光体ドラム上に転写残トナーが残留することになる。このように、感光体ドラムの表面に転写残トナーが存在すると、当該転写残トナーは、接触型の帯電装置の表面に付着して帯電不良を発生させたり、次の画像形成時に、記録用紙上に背景部汚れとなって転写されたりするため、感光体ドラムの表面から除去する必要がある。
【０００５】
そのため、上記画像形成装置では、転写工程の下流側に、感光体ドラム上に残留した転写残トナーを除去するため、感光体ドラムの表面に圧接するクリーニングブレードやクリーニングブラシ等を備えたクリーニング装置が用いられている。
【０００６】
また、上記画像形成装置では、感光体ドラム上に形成されたトナー像の転写効率を向上させ、当該感光体ドラム上における転写残トナーを可及的にゼロに近づけるため、従来の粉砕トナーに代わって、球形状に近い形状の所謂“球形トナー" が使用されてきている。
【０００７】
しかしながら、上記感光体ドラム上から球形トナーをクリーニングブレード等を備えたクリーニング装置によって除去する場合には、クリーニングブレードによるクリーニング能力が著しく不足し、転写残トナーの慢性的なクリーニング不良が発生するという問題点を有している。
【０００８】
更に説明すると、上記感光体ドラム上に残留した球形トナーをクリーニングブレードによって掻き取ろうとした場合、当該球形トナーは、球形状に近い形状であるが故に、球形トナーがクリーニングブレードのエッジ部に接触すると、図  に示すように、当該ブレードのエッジ部が球形トナーを押す形になり、球形トナーが感光体ドラムの回転に伴って図中反時計回り方向に回転して、球形トナーがクリーニングブレードのエッジ部を押し上げるような力Ｆが作用して、球形トナーがクリーニングブレードを擦り抜けてしまい、転写残トナーの慢性的なクリーニング不良が発生するという問題点を有していた。
【０００９】
そこで、かかる問題点に対しては、クリーニングブレードの食込み量を規定したり、感光体ドラムの軸方向に対して平行でない角度で当接させたり、クリーニングブレードの形状を変えて最適な応力状態にしたり、クリーニングブレードの当接角度を規定したり、当接面に潤滑剤を塗布したり、トナーの粒子がクリーニングブレード当接面に潜り込むのを防止する部材を挿入するなど、球形トナーのクリーニングに関しては、種々の試みがなされてきている。
【発明の開示】
【発明が解決しようとする課題】
【００１０】
しかしながら、上記従来技術の場合には、次のような問題点を有している。すなわち、これらの種々の提案に係る技術であっても、球形トナーの満足のいく十分なクリーニング性能を得ることができないという問題点を依然として有していた。
【００１１】
また、これまでのクリーニングブレードの構成は、感光体ドラムに対して１枚又は２枚のクリーニングブレードを圧接させてクリーニングを行うものであった。
【００１２】
しかし、この方法では、球形トナーのクリーニング時に頻発する、感光体ドラムの傷やクリーニングブレードの磨耗・欠損に起因する慢性的なクリーニング不良が生じた場合に、クリーニング性能を回復することが不能であり、又クリーニング性能の維持能力も脆弱なものであった。
【００１３】
そこで、この発明は、上記従来技術の問題点を解決するためになされたものであり、その目的とするところは、感光体ドラム等の像担持体上に残留した所謂球形トナーと像担持体表面との付着力を十分に弱めて、当該残留した所謂球形トナーの除去を確実に行わせることが可能な画像形成装置の転写残トナー撹乱用ローラ及びこれを用いた画像形成装置を提供することにある。
【課題を解決するための手段】
【００１４】
すなわち、請求項１に記載された発明は、像担持体の表面に当接した状態で回転するように配置され、前記像担持体の表面に残留したトナーを撹乱して、当該残留トナーと像担持体表面との付着力を弱めることにより、前記残留トナーを除去するための画像形成装置の残留トナー撹乱用ローラにおいて、
前記残留トナー撹乱用ローラの表面に、可撓性を有する材料からなる少なくとも２枚以上のブレード状部材を、当該残留トナー撹乱用ローラの軸方向に沿って螺旋状に設けたことを特徴とする画像形成装置の残留トナー撹乱用ローラである。
【００１５】
また、請求項２に記載された発明は、前記残留トナー撹乱用ローラは、前記像担持体の回転方向と逆方向に回転駆動されることを特徴とする請求項１に記載の画像形成装置の残留トナー撹乱用ローラである。
【００１６】
さらに、請求項３に記載された発明は、前記残留トナー撹乱用ローラのブレード状部材は、その先端の断面形状が鋭角となるように形成されていることを特徴とする請求項１又は２に記載の画像形成装置の残留トナー撹乱用ローラである。
【００１７】
又、請求項４に記載された発明は、前記残留トナー撹乱用ローラのブレード状部材は、その先端の断面形状が除去した転写残トナーが排出され易い形状に形成されていることを特徴とする請求項１又は２に記載の画像形成装置の残留トナー撹乱用ローラである。
【００１８】
更に、請求項５に記載された発明は、前記残留トナー撹乱用ローラは、ブレード状部材の間に像担持体上から除去した残留トナーを保持する凹形状の保持用空間を有していることを特徴とする請求項１乃至４のいずれかに記載の画像形成装置の残留トナー撹乱用ローラである。
【００１９】
また、請求項６に記載された発明は、前記残留トナー撹乱用ローラの表面には、ブラシ状部材が接触するように配設されていることを特徴とする請求項１乃至５のいずれかに記載の画像形成装置の残留トナー撹乱用ローラである。
【００２０】
さらに、請求項７に記載された発明は、前記残留トナー撹乱用ローラの下流側には、クリーニングブレードが配設されていることを特徴とする請求項１乃至６のいずれかに記載の画像形成装置の残留トナー撹乱用ローラである。
【００２１】
又、請求項８に記載された発明は、前記残留トナー撹乱用ローラのブレード状部材は、導電性を有する材料によって形成されていることを特徴とする請求項１乃至７のいずれかに記載の画像形成装置の残留トナー撹乱用ローラである。
【００２２】
更に、請求項９に記載された発明は、表面にトナー像が形成される像担持体と、
前記像担持体の表面に当接した状態で回転するように配置され、前記像担持体の表面に残留したトナーを撹乱して、当該残留トナーと像担持体表面との付着力を弱めることにより、前記残留トナーを除去するための残留トナー撹乱用ローラとを備えた画像形成装置において、
前記残留トナー撹乱用ローラの表面には、可撓性を有する材料からなる少なくとも２枚以上のブレード状部材を、当該残留トナー撹乱用ローラの軸方向に沿って螺旋状に設けたことを特徴とする画像形成装置である。
【発明の効果】
【００２３】
この発明によれば、感光体ドラム等の像担持体上に残留した所謂球形トナーと像担持体表面との付着力を十分に弱めて、当該残留した所謂球形トナーの除去を確実に行わせることが可能な画像形成装置の転写残トナー撹乱用ローラ及びこれを用いた画像形成装置を提供することができる。
【発明を実施するための最良の形態】
【００２４】
以下に、この発明の実施の形態について図面を参照して説明する。
【００２５】
実施の形態１
【００２６】
図２はこの発明の実施の形態１に係る転写残トナー撹乱用ローラを適用した画像形成装置としてのタンデム型のフルカラープリンタを示すものである。なお、上記画像形成装置としては、プリンタに限定されるものではなく、画像読取装置を備えた複写機やファクシミリ、あるいはこれらの機能を兼ね備えた複合機等であっても良いことは勿論である。
【００２７】
このタンデム型のフルカラープリンタ１は、図２に示すような画像形成ユニット２を、例えば、イエロー（Ｙ）、マゼンタ（Ｍ）、シアン（Ｃ）、黒（Ｋ）の各色に対応して、４つ並列的に一定の距離を隔てて備えており、図２は、４つの画像形成ユニット２のうち、イエロー（Ｙ）色に対応した画像形成ユニット２Ｙのみを示したものである。これらイエロー（Ｙ）、マゼンタ（Ｍ）、シアン（Ｃ）、黒（Ｋ）の各色に対応した画像形成ユニット２は、形成するトナー像の色以外、すべて同様に構成されている。
【００２８】
そこで、イエロー（Ｙ）色に対応した画像形成ユニット２Ｙについて説明すると、この画像形成ユニット２Ｙは、像担持体としての感光体ドラム３Ｙを備えており、感光体ドラム３Ｙは、ＯＰＣ等からなる感光体層を表面に有し、図示しない駆動源によって矢印方向に沿って所定の速度で回転駆動されるようになっている。なお、感光体ドラム３Ｙとしては、ＯＰＣ等からなる感光体層以外に、他の材料からなる感光体層を用いたものであっても良い。また、像担持体としては、トナー像を担持するものであれば、感光体ドラムに限定されるものではない。
【００２９】
上記感光体ドラム３Ｙの表面は、一次帯電用の帯電ロール４Ｙによって、所定の電位に一次帯電された後、当該感光体ドラム３Ｙの表面には、画像書込み手段としてのＲＯＳ  （Ｒａｓｔｅｒ  Ｏｕｔｐｕｔ  Ｓｃａｎｎｅｒ）５Ｙにより画像情報に応じてレーザービームＬＢの照射を受け、画像情報に応じた静電潜像が形成される。この感光体ドラム３Ｙの表面に形成された静電潜像は、現像装置６Ｙの現像ロール６０表面に形成された現像剤の磁気ブラシによって現像され、トナー像となる。この現像装置６Ｙでは、例えば、イエロー色のトナーとキャリアからなる２成分現像剤が用いられるが、これに限定されるものではなく、トナーのみから１成分現像剤を用いるように構成しても良い。
【００３０】
また、上記現像装置６Ｙでは、例えば、重合法によって製造された所謂球形トナーが用いられている。この球形トナーは、その外形が必ずしも球形のものに限定されないが、球形状に近いものである。
【００３１】
上記感光体ドラム３Ｙ上に形成されたトナー像は、一次転写ロール７Ｙによって中間転写体としての中間転写ベルト８上に互いに重ね合わせた状態で転写された後、当該中間転写ベルト８の図示しない二次転写位置において、二次転写ロール（図示せず）により記録用紙上に転写される。このトナー像が転写された記録用紙は、図示しない定着装置によって熱及び圧力で定着処理を受けて、カラー画像が形成される。
【００３２】
また、トナー像の転写工程が終了した後の感光体ドラム３Ｙの表面は、実施の形態１に係る転写残トナー撹乱用ローラを備えたクリーニング装置９によって、転写残トナーが除去乃至容易に除去可能な状態に撹乱され、感光体ドラム３Ｙの回転方向の下流側に配置されたブラシロール１０によって除去されるか、又は更なる撹乱作用を受けて、感光体ドラム３Ｙの表面に対する付着力が略ゼロとなる程度まで弱められ、現像装置６Ｙの磁気ブラシによって回収されることによってクリーニングされる。
【００３３】
このように、転写残トナーを撹乱用ローラによって除去乃至容易に除去可能な状態に撹乱し、現像装置６Ｙの磁気ブラシによって回収するように構成した場合には、感光体ドラム３Ｙの表面から転写残トナーを永久に除去するためのクリーニング装置は、不要となる。
【００３４】
なお、上記実施の形態では、イエロー（Ｙ）、マゼンタ（Ｍ）、シアン（Ｃ）、黒（Ｋ）の４つの画像形成ユニット２を備えたタンデム型のフルカラープリンタ１について説明したが、図２に示す画像形成部のみを備え、感光体ドラム３上に白黒のトナー像を形成する画像形成装置であっても良いことは勿論である。また、１つの感光体ドラム３の外周にロータリー現像装置を備えた所謂４サイクロのフルカラープリンタにも同様に適用できることは勿論である。
【００３５】
ところで、この実施の形態では、像担持体の表面に当接した状態で回転するように配置され、前記像担持体の表面に残留したトナーを撹乱して、当該残留トナーと像担持体表面との付着力を弱めることにより、前記残留トナーを除去するための画像形成装置の残留トナー撹乱用ローラにおいて、
前記残留トナー撹乱用ローラの表面に、可撓性を有する材料からなる少なくとも２枚以上のブレード状部材を、当該残留トナー撹乱用ローラの軸方向に沿って螺旋状に設けるように構成したものである。
【００３６】
すなわち、この実施の形態では、図２に示すように、感光体ドラム３の外周において、一次転写位置の感光体ドラム３回転方向の下流側に、感光体ドラム３上に残留した転写残トナーを攪乱するための残留トナー攪乱用ローラ２０を備えたクリーニング装置９が配設されている。この攪乱用ローラ２０は、感光体ドラム３の回転方向と逆方向に回転するように構成されている。
【００３７】
上記攪乱用ローラ２０は、図１に示すように、プラスチック等によって円筒形状に形成された回転部材２１と、当該回転部材２１の外周に設けられたゴム等の可撓性を有する材料からなるブレード部材２２とを備えている。回転部材２１は、その外周に位置する円筒状部２３と、中心に位置する軸状部２４と、円筒状部２３と軸状部２４とを連結する半径方向に延びた複数毎の連結部２５とから構成されている。なお、上記回転部材２１は、図示例のように、中空状に形成することで軽量化が可能であるが、中空状に形成する必要は必ずしもなく、円柱状に形成しても良い。
【００３８】
また、上記ブレード部材２２は、回転部材２１の外周に被覆された比較的薄肉円筒状の被覆部２６と、当該被覆部２６の外周面に半径方向に沿って平板状に突出するように設けられた複数枚のブレード部２７とから構成されている。上記ブレード部２７は、ブレード部材２２の周方向に沿って一定の間隔Ｐを隔てて少なくとも２枚以上、図示例では３２枚程度の多数枚が配設されている。上記複数枚のブレード部２７は、その数が少ないほど、長く設定する必要があるが、その数が多くなるに従って短く設定することができる。ブレード部材２２は、少なくとも、その被覆部２６が直接感光体ドラム３の表面に接触しない程度の数及び長さに設定する必要がある。さらに、上記ブレード部材２２には、ブレード部２７とブレード部２７との間に、一時的に転写残トナーを保持可能な凹部２８が形成されている。
【００３９】
また、上記ブレード部２７は、図３に示すように、攪乱用ローラ２０の軸方向に沿って所定の傾斜角度で螺旋状に設けられている。上記ブレード部２７の傾斜角度は、適宜設定されるが、例えば、攪乱用ローラ２０の軸方向に沿って、一端部から他端部までの間に、１本のブレード部２７が約半周する程度に設定される。上記ブレード部２７の感光体ドラム３の表面に対する食い込み量は、例えば、０．８ｍｍ程度に設定されるが、他の値に設定しても勿論良い。
【００４０】
また、上記ブレード部２７は、図１に示すように、例えば、所定の長さ及び厚さを有する平板状に形成されており、その先端部は、例えば、円弧状に形成される。ただし、ブレード部２７の先端部は、円弧状に限らず、平坦に形成しても勿論良い。
【００４１】
さらに、上記ブレード部２７の形状は、これに限定されるものではなく、図４（ａ）に示すように、先端が左右対称の鋭角を成すナイフエッジ状に形成したり、図４（ｂ）に示すように、攪乱用ローラ２０の回転方向上流側の側面２７ａが、回転方向下流側の側面２７ｂよりも、その傾斜角度θ１が小さくなるように（θ１＜θ２）に設定し、かつ先端部２７ｃを攪乱用ローラ２０の回転方向上流側が高くなるように斜めにカットした形状に形成したり、図４（ｃ）に示すように、攪乱用ローラ２０の回転方向上流側の側面２７ａを、傾斜角度θ１が鋭角となり、回転方向下流側の側面２７ｂを、その傾斜角度θ２が鈍角となるようにに設定し、かつ先端部２７ｃを攪乱用ローラ２０の回転方向上流側が高くなるように斜めにカットした形状に形成したり、図４（ｄ）に示すように、図４（ｃ）に示すものをベースとしつつ、全体として回転方向の上流側に向けて湾曲させ、両側面を曲線状に形成したものなどが用いられる。
【００４２】
さらに、上記攪乱用ローラ２０の外周には、ブラシローラ３０が接触するように配設されており、このブラシローラ３０は、攪乱用ローラ２０の回転方向と逆方向に回転するように構成されている。ブラシローラ３０は、攪乱用ローラ２０の凹部２８に貯まったトナーを掻き取るためのものである。
【００４３】
以上の構成において、この実施の形態に係る画像形成装置では、次のようにして、感光体ドラム等の像担持体上に残留した所謂球形トナーと像担持体表面との付着力を十分に弱めて、当該残留した所謂球形トナーの除去を確実に行わせることが可能となっている。
【００４４】
すなわち、この実施の形態に係るフルカラープリンタでは、図２に示すように、感光体ドラム３上に画像情報に応じてトナー像を形成し、当該感光体ドラム３上に形成されたトナー像が、中間転写ベルト８上に多重に転写された後、二次転写位置において、記録用紙上に一括して二次転写され、定着装置によって定着処理を受けて、カラー画像が形成される。
【００４５】
上記フルカラープリンタでは、球形トナーが使用されており、感光体ドラム３上に形成されたトナー像を、中間転写ベルト８上に転写する際に転写効率が高く、感光体ドラム３上に残留する転写残トナーは少ないものの、感光体ドラム３の表面には、中間転写ベルト８に転写されなかったトナーが残留する。
【００４６】
この感光体ドラム３上に残留した転写残トナーは、感光体ドラム３の回転に伴ってクリーニング装置９に移動し、このクリーニング装置９の内部に設けられた攪乱用ローラ２０によって攪乱作用を受ける。上記攪乱用ローラ２０は、図１に示すように、その外周に複数本のブレード部２７が半径方向外側に向けて突出されているとともに、これら複数本のブレード部１７は、攪拌用ローラ２０の軸方向に沿って螺旋状に設けられている。
【００４７】
したがって、上記感光体ドラム３上に残留した転写残トナー４０は、図５に示すように、攪拌用ローラ２０のブレード部２７によって攪乱されて、感光体ドラム３表面に対する物理的な付着力が低減される。また、上記感光体ドラム３上に残留した転写残トナー４０の一部は、攪拌用ローラ２０のブレード部２７によって掻き取られ、攪拌用ローラ２０のブレード部２７間の凹部２８に一時的に保持される。
【００４８】
また、上記攪拌用ローラ２０のブレード部２７は、複数枚設けられているとともに、当該攪拌用ローラ２０は、感光体ドラム３の回転方向と逆方向に回転駆動されている。そのため、上記感光体ドラム３上に残留した転写残トナー４０は、攪拌用ローラ２０の複数枚のブレード部２７によって、感光体ドラム３上の同じ位置に留まることがなく、ブレード部２７による攪乱作用を複数回にわたって受け、感光体ドラム３表面に対する物理的な付着力が徐々に低減され、最終的には、感光体ドラム３の表面に対する付着力がほとんどゼロになる。
【００４９】
その結果、上記感光体ドラム３上に残留した転写残トナー４０は、クリーニング装置９を通過すると、その下流側に設けられてブラシロール１０によって、感光体ドラム３に対する付着力が更に低減され、帯電ロール４を通過して現像装置６の現像ロール６０の磁気ブラシによって現像装置６内に回収される。
【００５０】
その際、上記攪拌用ローラ２０では、ブレード部２７の断面形状によって、撹乱作用や除去作用が異なる。ブレード部２７の先端形状を、図４（ａ）〜（ｄ）に示すように、トナーを排出し易い、先端が鋭角で基端部が鈍角となるように形成することにより、ブレード部２７によって撹乱したトナーを排出しやすくすることができる。
【００５１】
また、上記攪拌用ローラ２０の外周にブラシローラ３０を設けることで、攪拌用ローラ２０の凹部２８に貯まったトナーを確実に排出することができる。
【００５２】
さらに、上記攪拌用ローラ２０は、複数のブレード部２７を有しているので、感光体ドラム３の表面に放電生成物が付着した場合であっても、当該感光体ドラム３の表面に高い頻度で接触する複数のブレード部２７によって、放電生成物を効果的に除去することができる。
【００５３】
また、上記攪拌用ローラ２０のブレード部２７は、螺旋状に設けられているので、感光体ドラム３の表面に残留したトナーには、押圧力以外に煎弾力が作用し、より効果的に残留トナーを除去できるとともに、フィルミング等を効果的に防止することができる。
【００５４】
実施の形態２
図６はこの発明の実施の形態２を示すものであり、前記実施の形態１と同一の部分には同一の符号を付して説明すると、この実施の形態２では、攪拌用ローラの下流側にクリーニングブレードを配置するように構成されている。
【００５５】
すなわち、この実施の形態２では、図６に示すように、攪拌用ローラ２０を備えたクリーニング装置９の感光体ドラム３回転方向下流側に、クリーニングブレード５０が配置されている。
【００５６】
上記攪拌用ローラ２０によって撹乱されて感光体ドラム３の表面に再付着した残留トナーは、転写工程を終了した直後の残留トナーと比較して、感光体ドラム３の表面に対する付着力が大幅に小さくなっている。そのため、上記攪拌用ローラ２０の下流側に、クリーニングブレード５０を配置することによって、感光体ドラム３の表面に対する付着力が大幅に小さくなった残留トナーを確実に除去することが可能となる
【００５７】
ただし、クリーニングブレード５０を設けた場合には、感光体ドラム３の表面から残留トナーを永久的に除去するクリーニング装置が必要となる。
【００５８】
その他の構成及び作用は、前記実施の形態１と同様であるので、その説明を省略する。
【００５９】
実施の形態３
この発明の実施の形態３では、攪拌用ローラ２０のブレード部２７を導電性ゴム等の導電性材料によって形成し、当該ブレード部２７にトナーの帯電極性と逆極性の電圧を印加することにより、残留トナーを静電的に除去するように構成されている。
【００６０】
この実施の形態３では、攪拌用ローラ２０のブレード部２７の当接圧力が同じであっても、残留トナーを効率良く除去することができ、かぶり等を確実に防止することができる。
【００６１】
その他の構成及び作用は、前記実施の形態１と同様であるので、その説明を省略する。
【００６２】
実験例
次に、本発明者は、実施の形態の効果を確認するため、図１及び図４に示すように、種々のブレード部２７形状を有する攪拌用ローラ２０を試作し、ブレード部２７の形状によってトナーのフィルミングを防止する効果がどのように異なるかを確認する実験を行った。実験としては、Ａ３サイズの用紙に連続してトナー像を形成し、フィルミングが発生するまでのプリント枚数を調べる実験を行った。
【００６３】
図７は上記実験例の結果を示すものであり、
【００６４】
この図から明らかなように、歯型３のタイプでは、Ａ３サイズの用紙に２万枚程度プリントするまで、トナーのフィルミングを防止することができることがわかった。また、歯型２のタイプでも、Ａ３サイズの用紙に１．５万枚程度プリントするまで、トナーのフィルミングを防止することができるが、歯型１のタイプでは、Ａ３サイズの用紙に２千枚程度プリントすることで、トナーのフィルミングが発生してしまった。
【図面の簡単な説明】
【００６５】
【図１】図１はこの発明の実施の形態１に係る転写残トナー撹乱用ローラを示す断面構成図である。
【図２】図２はこの発明の実施の形態１に係る転写残トナー撹乱用ローラを適用した画像形成装置としてのタンデム型のフルカラープリンタの一部を示す構成図である。
【図３】図３はこの発明の実施の形態１に係る転写残トナー撹乱用ローラを模式的に示す正面図である。
【図４】図４はこの発明の実施の形態１に係る転写残トナー撹乱用ローラのブレード部をそれぞれ示す断面図である。
【図５】図５はこの発明の実施の形態１に係る転写残トナー撹乱用ローラによってトナーを撹乱する状態を示す説明図である。
【図６】図６はこの発明の実施の形態２に係る転写残トナー撹乱用ローラを適用した画像形成装置としてのタンデム型のフルカラープリンタの一部を示す構成図である。
【図７】図７は実験例を示すグラフと転写残トナー撹乱用ローラのブレード部をそれぞれ示す説明図である。
【符号の説明】
【００６６】
３：感光体ドラム、９：クリーニング装置、２０：残留トナー攪乱用ローラ、２１：回転部材、２２：ブレード部材、２７：ブレード部。
【図１】
2008152047.tif 000003
【図２】
2008152047.tif 000004
【図３】
2008152047.tif 000005
【図４】
2008152047.tif 000006
【図５】
2008152047.tif 000007
【図６】
2008152047.tif 000008
【図７】
2008152047.tif 000009